Podtech/llm-jp-corpus-v4-ja_patent huggingface dataset:
【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
アテローム性動脈硬化、発生異常、早産後の新生児肺疾患における異常な出生後の肺発達、炎症組織の再造形欠損に関連する疾患、細胞増殖、及びがんからなる群から選択される疾患の予防又は治療のための医薬の製造における、ｒＳＰ−Ｄ（Ｎ／ＣＲＤ）ポリペプチド、その核酸、フラグメント、ホモログ、変異体、又は誘導体の使用。
【請求項２】
サーファクタント補充療法における、ｒＳＰ−Ｄ（Ｎ／ＣＲＤ）ポリペプチド、その核酸、フラグメント、ホモログ、変異体、又は誘導体の使用。
【請求項３】
サーファクタント補充療法のための医薬の製造における、ｒＳＰ−Ｄ（Ｎ／ＣＲＤ）ポリペプチド、その核酸、フラグメント、ホモログ、変異体、又は誘導体の使用。
【請求項４】
細胞表面上への遊離ＤＮＡの産生に関する病態の治療のための組成物の製造におけるＳＰ−Ｄ又はそのフラグメントの使用。
【請求項５】
前記ＳＰ−Ｄ又はそのフラグメントが、その炭水化物結合ドメインを介して核酸に結合する、請求項４に記載の使用。
【請求項６】
肺内に遊離核酸が蓄積する慢性感染の治療のための組成物の製造におけるＳＰ−Ｄ又はそのフラグメントの使用。
【請求項７】
嚢胞性線維症の治療のための組成物の製造におけるＳＰ−Ｄ又はそのフラグメントの使用。
【請求項８】
壊死細胞及びアポトーシス細胞のクリアランスのための組成物の製造におけるＳＰ−Ｄ又はそのフラグメントの使用。
【請求項９】
自己免疫疾患における自己抗体産生の治療のための組成物の製造におけるＳＰ−Ｄ又はそのフラグメントの使用。
【請求項１０】
配列番号１に記載の配列、又はそのフラグメント、ホモログ、変異体、又は誘導体を有するＳＰ−Ｄフラグメントを含む、好ましくは、配列番号１に記載の配列、又はそのフラグメント、ホモログ、変異体、又は誘導体を有するＳＰ−Ｄフラグメントからなる、組換えポリペプチドの請求項１〜９のいずれか１項に記載の使用。
【請求項１１】
配列番号２に示された配列を含む配列を含み、請求項１０に記載の組換えポリペプチドをコードする配列を含む核酸の、請求項１〜３のいずれか１項に記載の使用。
【請求項１２】
ｒＳＰＤ（Ｎ／ＣＲＤ）ポリペプチド、そのフラグメント、ホモログ、変異体、又は誘導体を個体に投与するステップを含む、個体の気道過敏症、血清ＩｇＥレベル又は好酸球増多症を軽減する方法。
【請求項１３】
ｒＳＰ−Ｄ（Ｎ／ＣＲＤ）ポリペプチド、そのフラグメント、ホモログ、変異体、又は誘導体を個体に投与するステップを含むか、好ましくはアポトーシス肺胞マクロファージのクリアランスの増強もしくは壊死肺胞マクロファージのクリアランスの増強又はその両方による個体の肺胞マクロファージ数を減少させる方法。
【請求項１４】
薬学的有効量のＳＰ−Ｄ又はそのフラグメントを、治療を必要とする患者に投与するステップを含む、細胞表面上への遊離ＤＮＡの産生に関する病態を罹患した患者を治療するための方法。
【請求項１５】
薬学的有効量のＳＰ−Ｄ又はそのフラグメントを、治療を必要とする患者に投与するステップを含む、ヒトにおける嚢胞性線維症、肺疾患、ＣＯＰＤ、慢性炎症、慢性細菌感染、慢性ウイルス感染、慢性真菌感染、慢性喘息及び肺気腫、特に、喫煙により誘導される肺気腫からなる群から選択される疾患に罹患した患者を治療するための方法。
【請求項１６】
薬学的有効量のＳＰ−Ｄ又はそのフラグメントを、治療を必要とする患者に投与するステップを含む、自己免疫疾患に罹患している患者を治療するための方法。
【請求項１７】
配列番号１に示された配列を含むか、好ましくは配列番号１に示された配列からなるｒＳＰ−Ｄ（Ｎ／ＣＲＤ）ポリペプチドを用いる、請求項１２〜１６のいずれか１項に記載の疾患を治療又は予防するための方法。
【請求項１８】
以下の成分、すなわち、肺抽出物（好ましくは、ウシ、好ましくは子牛肺抽出物）もしくはその成分、リン脂質（好ましくは、ホスファチジルコリンもしくは飽和ホスファチジルコリン）、脂肪酸、サーファクタント関連タンパク質（好ましくは、サーファクタント関連タンパク質Ｂ又はサーファクタント関連タンパク質Ｃ）、セチルアルコール、長鎖反復アルコール、チロキサポール、パルミチン酸コルホセリル（ジパルミトイルホスファチジルコリン）、パルミチン酸、トリパルミチン、ポラクタントα、及び塩化ナトリウムのうちの１以上とともにｒＳＰ−Ｄ（Ｎ／ＣＲＤ）ポリペプチド、そのフラグメント、ホモログ、変異体、又は誘導体を含む組成物。
【請求項１９】
ｒＳＰ−Ｄ（Ｎ／ＣＲＤ）ポリペプチド、そのフラグメント、ホモログ、変異体、又は誘導体を候補分子に曝露するテップと、候補分子がｒＳＰ−Ｄ（Ｎ／ＣＲＤ）ポリペプチド、そのフラグメント、ホモログ、変異体、又は誘導体に結合するかどうか決定するステップとを含む、ｒＳＰ−Ｄ（Ｎ／ＣＲＤ）ポリペプチドに結合する分子を同定する方法。
【請求項２０】
（ａ）細胞又は生物を準備するステップと、
（ｂ）前記細胞又は生物をｒＳＰ−Ｄ（Ｎ／ＣＲＤ）ポリペプチド、核酸、そのフラグメント、ホモログ、変異体、もしくは誘導体に曝露するステップと、
（ｃ）前記細胞を候補分子に曝露するステップと、
（ｄ）ｒＳＰ−Ｄ（Ｎ／ＣＲＤ）媒介効果を検出するステップと
を含む、ｒＳＰ−Ｄ（Ｎ／ＣＲＤ）ポリペプチドのアゴニスト又はアンタゴニストをする方法。
【請求項２１】
前記ｒＳ−ＰＤ（Ｎ／ＣＲＤ）媒介効果が、末梢血好酸球増多症の軽減、血清ＩｇＥレベルの低下、血清ＩｇＧ１レベルの低下、気道過敏症の軽減、肺胞マクロファージ数の減少、洗浄物中のリン脂質レベルの低下、エオタキシン発現のダウンレギュレーション、ＭＣＰ−１発現の減少、ＭＩＰ−１α発現のダウンレギュレーション、及びＭＩＰ−２発現のダウンレギュレーションからなる群から選択される請求項２０に記載の方法。
【請求項２２】
選択又は同定された分子を単離又は合成するステップをさらに含む、請求項２０又は２１に記載の方法。
【請求項２３】
請求項２０〜２２のいずれか１項に記載の方法を使用して同定又は選択された分子。
【手続補正書】
【提出日】平成17年7月8日(2005.7.8)
【手続補正１】
【補正対象書類名】特許請求の範囲
【補正対象項目名】全文
【補正方法】変更
【補正の内容】
【特許請求の範囲】
【請求項１】
高速ダウンリンク共用チャネル（ＨＳ−ＤＳＣＨ）のセル変更を容易にするユーザ機器（ＵＥ）であって、
前記ＨＳ−ＤＳＣＨのセル変更が開始されると、ＭＡＣ−ｈｓの再順序付けバッファをフラッシュする手段と、
前記ＨＳ−ＤＳＣＨのセル変更が開始されると、各肯定確認モード（ＡＭ）無線リンク制御（ＲＬＣ）のＨＳ−ＤＳＣＨに対応付けられるインスタンスについて、逸したＨＳ−ＤＳＣＨのパケットデータユニット（ＰＤＵｓ）を示す状況レポートを生成する手段と
を備えたことを特徴とするユーザ機器。
【請求項２】
ユーザ機器（ＵＥ）によって高速ダウンリンク共用チャネル（ＨＳ−ＤＳＣＨ）のセル変更を容易にする方法であって、
前記ＨＳ−ＤＳＣＨのセル変更が開始されると、前記ＵＥが、ＭＡＣ−ｈｓの再順序付けバッファをフラッシュするステップと、
前記ＨＳ−ＤＳＣＨのセル変更が開始されると、前記ＵＥによって各肯定確認モード（ＡＭ）無線リンク制御（ＲＬＣ）のＨＳ−ＤＳＣＨに対応付けられるインスタンスについて、逸したＨＳ−ＤＳＣＨのパケットデータユニット（ＰＤＵｓ）を示す状況レポートを生成するステップと
を備えたことを特徴とする方法。
【手続補正２】
【補正対象書類名】図面
【補正対象項目名】図１
【補正方法】変更
【補正の内容】
【図１】
2005522923.tif 000001
【手続補正３】
【補正対象書類名】図面
【補正対象項目名】図２
【補正方法】変更
【補正の内容】
【図２】
2005522923.tif 000002
【手続補正書】
【提出日】平成18年2月7日(2006.2.7)
【手続補正１】
【補正対象書類名】特許請求の範囲
【補正対象項目名】全文
【補正方法】変更
【補正の内容】
【特許請求の範囲】
【請求項１】
導体およびフレキシブル基板を具備する相互接続装置であって、前記フレキシブル基板が、
（ａ）前記導体（２８）が入る少なくとも１つの入口端（１１）を有する中心本体（１２）と、
（ｂ）前記中心本体（１２）の第１の部分から延在する複数の第１のタブ（１４）であって、各タブ（１４）が取付けのための外部装置に１つ以上の導体（２８）を向け、前記導体（２８）を保持するための少なくとも１つの手段（１６；１６ａ；１６ｂ）を有すると共に、第１のタブ（１４）から延在する第２のタブを選択的に有する、第１のタブ（１４）と、
（ｃ）前記中心本体（１２）における複数の係止特徴部（２２）に沿って前記装置を折り畳んで形成される通路であって、前記中心本体（１２）の第２の部分の複数の係止特徴部（２０ａ、２０ｂ）が複数の連結スロット（２４）および前記第１のタブ（１４）と嵌合するようにし、前記導体（２８）が前記通路の少なくとも一部の内部に配置されている通路と、を有し、
前記装置が接着剤を使用することなく、前記素子または装置に接続するために、前記導体を管理、配線および分配する相互接続装置。
【請求項２】
光ファイバ用の装置であって、
（ａ）入口端（１１）を有する中心本体（１２）と、
（ｂ）前記中心本体（１２）の第１の部分から延在する複数のタブ（１４）であって、各タブ（１４）が取付けのための外部装置に１つ以上の導体（２８）を向け、前記光ファイバ（２８）を保持するための少なくとも１つの手段（１６、１６ａ、１６ｂ）を有するタブ（１４）と、
（ｃ）前記中心本体（１２）に沿った複数の連結スロット（２４）と、
（ｄ）前記タブ（１４）および前記連結スロット（２４）に対向する前記中心本体（１２）の第２の部分から延在する複数の係止特徴部（２０ａ、２０ｂ）と、
（ｅ）前記中心本体（１２）に配置される複数の折り畳み特徴部（２２）であって、前記複数の折り畳み特徴部（２２）に沿って前記装置を折り畳み、前記タブ（１４）および前記スロット（１２）と前記係止特徴部（２０ａ、２０ｂ）を嵌合することによって、通路またはチャネルを形成する折り畳み特徴部（２２）と、を有するフレキシブル基板を具備し、
接着剤を使用することなく、前記光ファイバを管理、配線および分配することができる装置。
【請求項３】
前記中心本体（１２）の前記入口端（１１）および前記タブ（１４）の前記末端（１３）の少なくとも１つ、若しくは前記第２のタブの末端、に取付けられる光学装置をさらに具備する、請求項１又は２記載の装置。
【請求項４】
前記中心本体（１２）、前記複数の第１のタブ（１４）、前記複数の第２のタブの少なくとも１つから延在する再成端ループ（３６）をさらに具備する、請求項１〜３のいずれか一項に記載の装置。
【手続補正書】
【提出日】平成18年3月29日(2006.3.29)
【手続補正１】
【補正対象書類名】特許請求の範囲
【補正対象項目名】請求項１
【補正方法】変更
【補正の内容】
【請求項１】
通信システムにおけるセル検出方法であって、
通信信号を受信する工程と、
受信した前記通信信号を１次同期信号と相関させて、１次検出信号を生成する工程と、
受信した前記通信信号を２次同期信号と相関させて、２次検出信号を生成する工程と、
前記１次検出信号に基づいて、新しいセルのスロットタイミングを検出する工程と、を備え
前記検出する工程は、さらに、
前記１次検出信号から判定変数を決定する工程と、
前記判定変数を第１の閾値と比較する工程と、
前記判定変数が前記第１の閾値より小さい場合に、前記２次検出信号を用いて新しいセルのスロットタイミングを検出する工程と、
を備えることを特徴とするセル検出方法。
【手続補正２】
【補正対象書類名】特許請求の範囲
【補正対象項目名】請求項２
【補正方法】変更
【補正の内容】
【請求項２】
前記検出する工程は、さらに、
前記判定変数を第２の閾値と比較する工程と、
前記判定変数が第１の閾値よりも小さく、第２の閾値よりも大きい場合に、前記２次検出信号を用いて新しいセルのスロットタイミングを検出する工程と、
を備えることを特徴とする請求項１に記載のセル検出方法。
【手続補正３】
【補正対象書類名】特許請求の範囲
【補正対象項目名】請求項１０
【補正方法】変更
【補正の内容】
【請求項１０】
通信システムにおけるセル検出方法であって、
通信信号を受信する工程と、
受信した前記通信信号を１次同期信号と相関させて、１次検出信号を生成する工程と、
受信した前記通信信号を２次同期信号と相関させて、２次検出信号を生成する工程と、
前記１次検出信号に基づいて新しいセルスロットタイミングを検出する工程と、を備え、
前記検出する工程は、さらに、
前記１次検出信号と２次検出信号とを用いて、判定変数を決定する工程と、
前記判定変数を第１の閾値と比較する工程と、
前記判定変数が前記第１の閾値より大きい場合に、新しいセルが検出されたことを示す工程と、
を備えることを特徴とするセル検出方法。
【手続補正４】
【補正対象書類名】特許請求の範囲
【補正対象項目名】請求項１３
【補正方法】変更
【補正の内容】
【請求項１３】
通信システムにおけるセル検出装置であって、
通信信号を受信するフロントエンド受信機と、
受信した前記通信信号を１次同期信号と相関させて、１次検出信号を生成する１次同期チャンネル相関器と、
受信した前記通信信号を２次同期信号と相関させて、２次検出信号を生成する２次同期チャンネル相関器と、
前記１次検出信号を用いて、新しいセルのスロットタイミングを検出する検出器と、を備え
前記検出器は、前記新しいセルの前記スロットタイミングを決定するために前記第２の検出信号も用いるように構成されていることを特徴とするセル検出装置。
【手続補正５】
【補正対象書類名】特許請求の範囲
【補正対象項目名】請求項１４
【補正方法】変更
【補正の内容】
【請求項１４】
さらに、前記１次検出信号から判定変数を決定する１次同期積算器を備え、
前記検出器は、前記判定変数を第１の閾値と比較する制御部を有し、前記判定変数が前記第１の閾値よりも大きい場合に、前記２次検出信号を用いて新しいセルのスロットタイミングを検出することを特徴とする請求項１３に記載のセル検出装置。
【手続補正６】
【補正対象書類名】特許請求の範囲
【補正対象項目名】請求項１５
【補正方法】変更
【補正の内容】
【請求項１５】
さらに、前記１次検出信号から判定変数を決定する１次同期積算器を備え、
前記検出器は、前記判定変数を第１の閾値及び第２の閾値と比較する制御部を有し前記判定変数が第１の閾値よりも小さく、第２の閾値よりも大きい場合に、前記２次検出信号を用いて新しいセルのスロットタイミングを検出することを特徴とする請求項１３に記載のセル検出装置。
【手続補正書】
【提出日】平成18年4月7日(2006.4.7)
【手続補正１】
【補正対象書類名】特許請求の範囲
【補正対象項目名】全文
【補正方法】変更
【補正の内容】
【特許請求の範囲】
【請求項１】
ネットワークにおけるネットワーク装置の各クラスタとのインタフェース用の少なくとも２つのインタフェースを有するブリッジ装置であって、
前記ブリッジ装置は、クラスタを接続するための少なくとも２つのインタフェース・ポータルを有し、
前記ブリッジ装置は、他の装置の第１のソフトウェア構成要素からの要求を、ブリッジのクラスタのうち１つから受信する第１のソフトウェア構成要素をポータル毎に有し、
その他のクラスタの第１のソフトウェア要素に前記要求を転送し、前記転送された要求は転送するポータルのアドレスをパラメータとして有し、前記転送された要求への応答を受信及び連結し、前記要求に対する連結応答を最初の要求装置に返信するための手段を有することを特徴とするブリッジ装置。
【請求項２】
請求項１に記載のブリッジ装置であって、
前記要求を転送するための前記手段は、ブリッジ装置の第１のソフトウェア要素に前記要求を転送するための第１のメッセージ形式と、非ブリッジ装置の第１のソフトウェア要素に前記要求を転送するための第２のメッセージ形式とを使用するように適合され、転送するポータルの識別子は前記第１のメッセージのパラメータであり、前記第２のメッセージのパラメータではないブリッジ装置。
【請求項３】
ネットワークにおけるネットワーク装置の各クラスタとのインタフェース用の少なくとも２つのインタフェースを有するブリッジ装置であって、
前記ブリッジ装置は、クラスタを接続するための少なくとも２つのインタフェース・ポータルを有し、
前記ブリッジ装置は、他の装置の第１のソフトウェア構成要素からの要求を、ブリッジのクラスタのうち１つから受信する第１のソフトウェア構成要素をポータル毎に有し、
発信アドレスとして最初の要求者の識別子で、その他のクラスタの第１のソフトウェア要素に前記要求を転送し、前記転送された要求への応答を傍受し、前記応答の内容を連結し、最初の要求に対する単一の連結応答を最初の要求装置に返信するための手段を有することを特徴とするブリッジ装置。
【手続補正書】
【提出日】平成18年3月2日(2006.3.2)
【手続補正１】
【補正対象書類名】特許請求の範囲
【補正対象項目名】全文
【補正方法】変更
【補正の内容】
【特許請求の範囲】
【請求項１】
チャンネル変更時間を削減する方法であって：
チャンネル変更コマンドを受信する工程；
該チャンネル変更コマンドに応じて着信データ・ストリームをキャッシュする工程；
該着信データ・ストリームの中に含まれる番組特定情報（ＰＳＩ）を探索する工程群；及び
該キャッシュされたデータ・ストリームを該番組特定情報の該探索に応じて復号化するよう転送する工程；
を有することを特徴とする方法。
【請求項２】
請求項１記載の方法であって、該番組特定情報（ＰＳＩ）が番組関連テーブル（ＰＡＴ）データ及び番組マップ・テーブル（ＰＭＴ）データを有することを特徴とする方法。
【請求項３】
請求項１記載の方法であって、該番組特定情報（ＰＳＩ）を探索する工程群が：
該着信データ・ストリームの中で番組関連テーブル（ＰＡＴ）データを探索する工程；
該番組関連テーブル（ＰＡＴ）データを用いて番組マップ・テーブル（ＰＭＴ）データを探索する工程；及び
該番組マップ・テーブル（ＰＭＴ）データを用いてビデオ番組識別（ＰＩＤ）データとオーディオ番組識別（ＰＩＤ）データとのうちの少なくとも１つを探索する工程；
を有することを特徴とする方法。
【請求項４】
削減されたチャンネル変更時間を有するディジタル通信装置であって：
データ・ストリームを受信する手段；
チャンネル変更コマンドを受信する手段；
該データ・ストリームの一部分を格納するよう動作するキャッシュ・メモリ；
該データ・ストリームを復号化するよう動作する復号器；及び
プロセッサ；
を有し；
該プロセッサが、該受信する手段、該キャッシュ・メモリ、及び該復号器に結合され、該チャンネル変更コマンドの受信に応じて、該データ・ストリームの該一部分で、該受信に後続するもの、を該キャッシュ・メモリの中に格納させ；
該チャンネル変更コマンドに応じて所望の番組特定情報を識別し；かつ
該所望の番組特定情報の該識別に応じて該復号器によって該キャッシュ・メモリに格納された該データ・ストリームを処理させる；
ことを特徴とするディジタル通信装置。
【請求項５】
請求項４記載のディジタル通信装置であって、該番組特定情報（ＰＳＩ）が番組関連テーブル（ＰＡＴ）データ及び番組マップ・テーブル（ＰＭＴ）データを有することを特徴とするディジタル通信装置。
【請求項６】
請求項４記載のディジタル通信装置であって、該プロセッサが：
該着信データ・ストリームの中で番組関連テーブル（ＰＡＴ）データを探索し；
該番組関連テーブル（ＰＡＴ）データを用いて番組マップ・テーブル（ＰＭＴ）データを探索し；かつ
該番組マップ・テーブル（ＰＭＴ）データを用いてビデオ番組識別（ＰＩＤ）データとオーディオ番組識別（ＰＩＤ）データとのうちの少なくとも１つを探索する；
ことによって該番組特定情報（ＰＳＩ）を探索するよう動作することを特徴とするディジタル通信装置。
【手続補正書】
【提出日】平成18年3月15日(2006.3.15)
【手続補正１】
【補正対象書類名】特許請求の範囲
【補正対象項目名】全文
【補正方法】変更
【補正の内容】
【特許請求の範囲】
【請求項１】
少なくとも２つのモードの間を切り替える方法であって：
該少なくとも２つのモードが、対話式アプリケーション・モードとテレビ番組モード、とを有し；
テレビ番組信号を受信する工程；
対話式アプリケーション信号を受信する工程；
表示デバイスにおいて、該テレビ番組信号と該対話式アプリケーション信号との一方を表示する工程；
対話式アプリケーション用消音機能動作可能コマンドの受信によって、対話式アプリケーション用消音機能を動作可能にする工程；及び
該対話式アプリケーション用消音機能が動作可能にされ、該テレビ番組信号が該表示デバイスに表示される場合、遠隔制御デバイスからの消音信号の受信によって、モード切替え手段を起動して該対話式アプリケーション信号を該表示デバイスに表示させる工程；
を有することを特徴とする方法。
【請求項２】
表示デバイス上で少なくとも２つのモードを表示する装置であって：
該少なくとも２つのモードが、対話式アプリケーション・モードとテレビ番組モード、とを有し；
テレビ番組信号受信器；
対話式アプリケーション信号受信器；
該表示デバイスにおいて動作可能である、該テレビ番組モードと該対話式アプリケーション・モード、との間で切り替える手段；
ゴーバック信号を生成するゴーバック・キーを有する遠隔制御デバイスから遠隔制御信号を受信する手段；及び
該表示デバイスが該対話式アプリケーション・モードにあった場合、該ゴーバック信号の受信によって、該モード切替え手段が起動され、該対話式アプリケーション・モードを該表示デバイスにおいて動作可能にさせることを特徴とする装置。
【手続補正書】
【提出日】平成18年4月4日(2006.4.4)
【手続補正１】
【補正対象書類名】特許請求の範囲
【補正対象項目名】全文
【補正方法】変更
【補正の内容】
【特許請求の範囲】
【請求項１】
第１のフォーマットを有する立体画像ストリームの圧縮された画像ストリームを処理するための方法であって、前記圧縮された画像ストリームは複数のフレームを含み、各フレームは左画像からの画素および右画像からの画素を含む併合画像から成り、
（ａ）前記圧縮された画像ストリームを圧縮解除するステップと、
（ｂ）各併合画像を受け取るステップと、
（ｃ）復元された左フレームおよび復元された右フレームを形成するために、各併合画像に、少なくとも二つの隣接画素を入力バッファに入れ、中間画素を補間するステップと、
（ｄ）前記左および右画像フレームから立体画像ストリームを復元して、それを出力フレームバッファに格納するステップと、
（ｅ）前記第１のフォーマットとは異なるフォーマットで前記フレームを出力する出力ステップと、
を含み、前記出力ステップは、前記画像ストリームの表示レートを増加させる工程、および、複数の立体表示モードのうちの一つを選択するとともにこの選択されたモードにおいて前記復元された立体画像ストリームを出力する工程のうちの少なくとも一つを含んでいる、方法。
【請求項２】
前記左画像からの前記画素および前記右画像からの前記画素が、五点形のパターンでサンプリングされる、請求項１に記載の方法。
【請求項３】
中間画素を補間する前記ステップが、前記二つの隣接画素を平均することを含む、請求項１または請求項２に記載の方法。
【請求項４】
中間画素を補間する前記ステップが、前記中間画素を補間するために水平方向の隣接画素を前記中間画素からの距離に応じて加重することを含む、請求項１から請求項３のいずれか一つに記載の方法。
【請求項５】
中間画素を補間する前記ステップが、前記中間画素を補間するために垂直方向の隣接画素を加重することを含む、請求項１から請求項４のいずれか一つに記載の方法。
【請求項６】
前記複数の立体表示モードは、ページフリッピング、行インターリーブ、列インターリーブ、アナグリフ、および、２次元表示モードのうち、少なくとも二つを含む、請求項１から請求項５のいずれか一つに記載の方法。
【請求項７】
前記併合画像は、前記左画像からの画素を含む第１の領域と、前記右画像からの画素を含む第２の領域と、を含む、請求項１から請求項６のいずれか一つに記載の方法。
【請求項８】
前記第１のフォーマットとは異なるフォーマットで前記フレームを出力する前記ステップは、前記画像ストリームの表示レートを増加するステップを含む、請求項１から請求項７のいずれか一つに記載の方法。
【請求項９】
前記画像ストリームの表示レートを増加させる前記ステップは、前記復元された立体画像ストリームを時間補間することを含む、請求項１から請求項８のいずれか一つに記載の方法。
【請求項１０】
第１のフォーマットを有する立体画像ストリームの圧縮された画像ストリームを処理するためのシステムであって、
（ａ）圧縮された画像ストリームを受け取るための入力と、
（ｂ）受け取った前記画像ストリームを圧縮解除するための圧縮解除モジュールと、
（ｃ）各併合フレームを空間補間して復元された右および左フレームを得る動作ができるように前記入力に接続された空間補間モジュールと、
（ｄ）前記復元された右および左フレームを格納するための右および左メモリバッファと、
（ｅ）立体画像表示装置を同期化するための同期化モジュールと、
（ｆ）前記第１のフォーマットとは異なるフォーマットで前記フレームを出力する出力メモリコントローラと、を含み、
前記コントローラは、前記画像ストリームの表示レートを増加させること、および、複数の立体画像表示モードから一つを選択するとともにこの選択されたモードにおいて前記復元された立体画像ストリームを出力すること、のうち少なくとも一つを実行する、システム。
【請求項１１】
前記出力される立体画像ストリームの周波数を補正するレートコントローラをさらに含む、請求項１０に記載のシステム。
【請求項１２】
前記レートコントローラの下流にフリッカ防止フィルタをさらに含む、請求項１１に記載のシステム。
【請求項１３】
前記入力の下流にアナログデジタル変換器を含む、請求項１０から請求項１２のいずれか一つに記載のシステム。
【請求項１４】
前記出力の上流にデジタルアナログ変換器をさらに含む、請求項１０から請求項１３のいずれか一つに記載のシステム。
【請求項１５】
前記同期化モジュールは、シャッタ眼鏡を同期化させるために用いられる、請求項１０から請求項１４のいずれか一つに記載のシステム。
【請求項１６】
前記複数の立体画像表示モードは、ページフリッピング、行インターリーブ、列インターリーブ、アナグリフ、２次元表示モードのうち少なくとも二つを含む、請求項１０から請求項１５のいずれか一つに記載のシステム。
【請求項１７】
前記コントローラはさらに時間補間器を含み、かつ、前記画像ストリームの表示レートを増加させる前記ステップは、前記復元された立体画像ストリームを時間補間することを含む、請求項１０から請求項１６のいずれか一つに記載のシステム。
【手続補正書】
【提出日】平成17年11月17日(2005.11.17)
【手続補正１】
【補正対象書類名】特許請求の範囲
【補正対象項目名】全文
【補正方法】変更
【補正の内容】
【特許請求の範囲】
【請求項１】
虚血に関する心臓の動きの変化を、心臓壁の加速を表すシグナルから計算するための動作センサの使用方法であって、これは、活動する心臓の表面上の選択された位置へ留められた動作センサによって記録され、正常な活動のパターンから逸脱する前記記録されたシグナルのパターンを検出することによって行われ、前記センサが該選択された位置で三方向における心臓の動きを記録する動作センサの使用方法。
【請求項２】
前記方法は、バイパス手術に関連して術後に行われる請求項１記載の使用方法。
【請求項３】
前記位置は、術後に、血管再生された冠動脈から血液を受け取る心筋のその部分の中心点として選択される請求項１記載の使用方法。
【請求項４】
前記動作センサは外科的処置を必要とせずにそれ自身の容積および留め具とによって前記位置から取り外し可能であるように設計される請求項１記載の使用方法。
【請求項５】
前記動作センサが三方向に対して感度がよい加速度計を具備する請求項１記載の使用方法。
【請求項６】
前記動作センサが前記センサの取付の位置で回転運動を測定するためのジャイロスコープを具備する請求項１記載の使用方法。
【請求項７】
前記記録された動きは、その分析を実行するために、患者の外部に位置する計算ユニットへ伝達される請求項１記載の使用方法。
【請求項８】
前記動作センサが、暫定的なペースメーカー電極内に組み込まれる請求項１記載の使用方法。
【請求項９】
心臓壁の動きを記録するための動作センサであって、このセンサは、三方向に対して感度がよいセンサであり、生体物質に反応を起こさない外側材料と、心臓の表面上の選択された位置に留めるための留置具とが設けられており、このセンサは、記録された情報を患者の外部に位置する計算ユニットへ伝達するためのシグナル線をさらに具備する動作センサ。
【請求項１０】
心臓の動きを記録するための動作センサであって、このセンサは、２．５Ｖの最大振幅で２００Ｈｚの周波数範囲（帯域幅）内で少なくとも６００ｍＶ／ｇの、三方向に対して感度がよい動作センサであり、１．５×１．５×４ｍｍ未満の容積を有し、生体物質に反応を起こさない外側材料と、心臓の表面上の選択された位置に留めるための留置具とが設けられており、このセンサは、登録された情報を患者の外部に位置する計算ユニットへ伝達するためのシグナル線をさらに具備する動作センサ。
【請求項１１】
前記センサの容積は１×１×２ｍｍ未満であることを特徴とする請求項９または１０に記載の動作センサ。
【請求項１２】
前記センサは、暫定的なペースメーカー電極内に組み込まれることを特徴とする請求項９乃至１１のいずれか１項に記載の動作センサ。
【請求項１３】
三方向に対して感度がよい加速度計を具備することを特徴とする請求項９乃至１２のいずれか１項に記載の動作センサ。
【請求項１４】
前記選択された位置で少なくとも一つの軸を中心にした回転運動を測定するためのジャイロスコープを具備することを特徴とする請求項９乃至１３のいずれか１項に記載の動作センサ。
【請求項１５】
虚血に関する心臓の運動の変化を検出するためのシステムであって、請求項９乃至１４のいずれか１項に記載の少なくとも一つの動作センサを具備し、前記センサは、心臓の表面に留められるように設計され、前記センサは、心臓の動きを反映するシグナルを計算ユニットへ発するように設計され、前記計算ユニットは、前記記録された動きを分析するように適合されており、前記センサの前記位置で心臓の動きのパターンの変化を検出するシステム。
【請求項１６】
心臓の動きに特徴的であるシグナルを発するために、加速度計に一体化されたかまたはペースメーカー電極に固定されたバイオセンサをさらに含むことを特徴とする請求項１５記載のシステム。
【請求項１７】
シグナルを増幅し計算するように設計された増幅器および計算ユニットと、比較時に逸脱を示すための装置と、をさらに含むことを特徴とする請求項１５または１６に記載のシステム。
【請求項１８】
前記計算ユニットは、周波数分布を決定するために高速フーリエ変換を使用することが予定されることを特徴とする請求項１７記載のシステム。
【請求項１９】
前記計算ユニットは前記シグナルの周波数分布を決定し、これらは予め設定された標準分布と比較されることを特徴とする請求項１７記載のシステム。
【請求項２０】
使用される前記予め設定された標準分布は、前記センサの挿入直後に計算された周波数分布であることを特徴とする請求項１７記載のシステム。
【請求項２１】
所定の値からの逸脱を示すための装置を具備し、前記標準分布からの逸脱が一定のレベルを超えるときにはアラームシグナルを発するように設計されたアラームトランスミッタを具備することを特徴とする請求項２０記載のシステム。
【請求項２２】
前記動作センサは、暫定的なペースメーカー電極内に組み込まれることを特徴とする請求項１５記載のシステム。
【手続補正２】
【補正対象書類名】明細書
【補正対象項目名】発明の名称
【補正方法】変更
【補正の内容】
【発明の名称】心臓の動きをモニタするためのセンサの使用方法およびシステム
【手続補正書】
【提出日】平成18年4月14日(2006.4.14)
【手続補正１】
【補正対象書類名】特許請求の範囲
【補正対象項目名】全文
【補正方法】変更
【補正の内容】
【特許請求の範囲】
【請求項１】
展示品を取り付ける組立体であって、
シート要素及び少なくとも１つの細長い部材を有し、少なくとも１つの細長い部材は、第１及び第２の箇所でシート要素の縁部に取り付けられており、使用に当たり、少なくとも１つの細長い部材が、展示品を定位置に保持する、
ことを特徴とする組立体。
【手続補正書】
【提出日】平成18年2月27日(2006.2.27)
【手続補正１】
【補正対象書類名】特許請求の範囲
【補正対象項目名】全文
【補正方法】変更
【補正の内容】
【特許請求の範囲】
【請求項１】
移植可能な薬剤送達デバイスであって、以下：
薬剤を収容するように構築および設計されたベイスンであって、該ベイスンが、ベイスン収容部分に囲まれている、ベイスン；
該ベイスン収容部分に貼り付けられた場合に、該ベイスンの上部を覆うように構築および設計されたスクリーン、
を含む、デバイス。
【請求項２】
前記ベイスンの底部を覆うスクリーンをさらに含む、請求項１に記載の移植可能な薬剤送達デバイス。
【請求項３】
請求項１に記載の移植可能な薬剤送達デバイスであって、前記ベイスンが、前記ベイスン収容部分を貫通しており、そして前記ベイスンの底部上に、前記ベイスン収容部分に貼り付けられた場合に、該ベイスンの底部を覆うように構築および設計された第２のスクリーンがある、デバイス。
【請求項４】
前記ベイスン収容部分が、実質的に平面である、請求項１に記載の移植可能な薬剤送達デバイス。
【請求項５】
請求項１に記載の移植可能な薬剤送達デバイスであって、前記スクリーン中の穴の大きさおよび数が、薬剤の可溶性、薬剤の溶解速度および薬剤の濃度を含む群から選択される１つ以上の因子に依存する、デバイス。
【請求項６】
前記ベイスンが、不浸透性の障壁によって分断されている複数のセクションを含む、請求項１に記載の移植可能な薬剤送達デバイス。
【請求項７】
請求項１に記載の移植可能な薬剤送達デバイスであって、前記ベイスンの１つのセクションを覆う前記スクリーン中の穴の大きさおよび数が、前記ベイスンの別のセクションを覆う前記スクリーン中の穴の大きさおよび数とは異なる、デバイス。
【請求項８】
薬剤で処置できる状態と近接している動物の体内に該薬物を送達するデバイスであって、該デバイスが、以下：
第１フェイス、第２フェイス、ペリメーター、および該第１フェイスと該第２フェイスとの間の薬剤ベイスンを有する、ベイスン収容部分；
該ベイスン収容部分の該第１フェイスと該ベイスンとのインターセクション近くで、該ベイスン収容部分の該第１フェイスに貼り付けられている、第１スクリーン、
を含むデバイス。
【請求項９】
請求項８に記載のデバイスであって、前記ベイスン収容部分の下部フェイスと前記ベイスンとのインターセクション近くで、該ベイスン収容部分の該下部フェイスに貼り付けられている第２スクリーンをさらに含む、デバイス。
【請求項１０】
請求項８に記載のデバイスであって、前記第１スクリーン中の穴の大きさが、薬物の可溶性、薬物の溶解速度および薬物の濃度を含む群から選択される１つ以上の因子に依存する、デバイス。
【請求項１１】
請求項９に記載のデバイスであって、前記第２スクリーン中の穴の数が、薬物の可溶性、薬物の溶解速度および薬物の濃度を含む群から選択される１つ以上の因子に依存する、デバイス。
【請求項１２】
請求項９に記載のデバイスであって、前記ベイスン収容部分中の前記ベイスンが、不浸透性の壁によって互いに分断されている複数の小さなベイスンを含む、デバイス。
【請求項１３】
請求項１２に記載のデバイスであって、前記小さなベイスンを覆う前記第１スクリーン中の穴の大きさおよび数が、該小さなベイスン中の薬剤の可溶性、溶解速度、および濃度に依存して異なる、デバイス。
【請求項１４】
移植可能な薬剤送達プラットフォームを製造する方法であって、以下：
ａ）薬剤を収容するように構築および設計されたベイスンの周りにベイスン収容部分を形成する工程
ｂ）該ベイスンを覆うために、第１スクリーンを該ベイスン収容部分に貼り付ける工程、
を包含する、方法。
【請求項１５】
第２スクリーンを前記ベイスンの反対側に設置する工程をさらに包含する、請求項１４に記載の方法。
【請求項１６】
前記第２スクリーンが、前記ベイスン収容部分に貼り付けられている、請求項１５に記載の方法。
【請求項１７】
前記ベイスン収容部分が実質的に平面である、請求項１４に記載の方法。
【請求項１８】
前記第１スクリーンが、実質的に平面であるように形成される、請求項１４に記載の方法。
【請求項１９】
前記第２スクリーンが、実質的に平面であるように形成される、請求項１５に記載の方法。
【請求項２０】
前記ベイスン収容部分と前記スクリーンとの組み合わせが形成され、内部の本体部分を取り囲む、請求項１４に記載の方法。
【請求項２１】
請求項１４に記載の方法であって、前記スクリーンを形成する工程が、薬剤の可溶性、薬剤の溶解速度、および薬剤の濃度を含む群から選択される１つ以上の因子に依存して、ある数およびある大きさの穴を前記スクリーン中に形成する工程によって、さらに定義される、方法。
【請求項２２】
前記ベイスンを少なくとも２つの小さなベイスンに分割する工程をさらに包含する、請求項１４に記載の方法。
【請求項２３】
ある大きさおよびある数を有する穴を、前記小さなベイスンを覆う前記スクリーン中に形成する工程をさらに包含する、請求項２２に記載の方法。
【請求項２４】
動物の眼内の疾患を処置するためのシステムであって、該システムが、以下：
強膜中に切開部を作るための手段；
以下：
薬剤を収容するように構築および設計されたベイスンを含む、ベイスン収容部分；
該ベイスンを覆うように構築および設計され、かつ該ベイスン収容部分に貼り付けられた、スクリーン、
を含む、薬物送達デバイスを、該切開部の中に挿入するための手段、
を備える、システム。
【手続補正書】
【提出日】平成18年2月23日(2006.2.23)
【手続補正１】
【補正対象書類名】特許請求の範囲
【補正対象項目名】全文
【補正方法】変更
【補正の内容】
【特許請求の範囲】
【請求項１】
トレーニング器具を用いて、上肢帯（ｈ）と下肢帯（ｉ）（仙骨部範囲）との間の身体範囲（脊柱）で体肢、腕および脚を利用して、人間の身体を意図的にトレーニングするための方法において、
−前記身体範囲を上肢帯（ｈ）と下肢帯（ｉ）とで互いに逆の方向にねじり、
−脊柱の当該脊髄の間に相対ねじりを発生させる
ことを特徴とする、人間の身体を意図的にトレーニングするための方法。
【請求項２】
前記相対ねじりを、脊柱の長手方向軸線に関する脊柱の側方傾倒運動もしくはわん曲運動と重畳させる、請求項１記載の方法。
【請求項３】
腕および脚の活動により、自然の回転モーメント補償を行うための相対ねじりもしくは旋回運動を規定する、請求項１または２記載の方法。
【請求項４】
当該方法を少なくとも部分的に水没下に実施する、請求項１から３までのいずれか１項記載の方法。
【請求項５】
特に請求項１から４までのいずれか１項記載の方法を実施するためのトレーニング器具であって、
−当該トレーニング器具を位置固定に配置するためのスタンド（３２）が設けられており、
−トレーニングする人間の脚（足）の作用エレメント（８〜１４，３４，３６，４０，４６，５０）を有する器具足部分（３，２４，５２）が設けられており、
−トレーニングする人間の腕（手）の作用エレメント（６，２２，３０，３３，３５，３９，４５，５１）を有する器具腕部分（２，２８，５３）が設けられている
形式のものにおいて、
−前記器具足部分と前記器具腕部分とが、トレーニング運動を実施するために互いに相対的に運動可能である
ことを特徴とするトレーニング器具。
【請求項６】
前記器具足部分と前記器具腕部分とが結合ジョイント（４，２９，４２，５４）を介して結合されていて、相対調節が、トレーニングする人間の、前記器具足部分と協働する下肢帯と、前記器具腕部分と協働する上肢帯との間の脊柱軸線の範囲における相対ねじりとして作用するようになっており、該相対ねじりが、交互のねじり方向で随意にまたは自動的に制御可能である、請求項５記載のトレーニング器具。
【請求項７】
交互の相対ねじりが、少なくとも一方のねじり方向で外部制御されかつ／または作動させられる、請求項６記載のトレーニング器具。
【請求項８】
器具足部分（２４）にシート（３７）が配置されている、請求項５から７までのいずれか１項記載のトレーニング器具。
【請求項９】
脈拍、血圧、トレーニング時間等のための付加的な発生器、計算器および表示器具（ディスプレイ）が設けられている、請求項５から８までのいずれか１項記載のトレーニング器具。
【請求項１０】
スタンドに配置されたフレームと、該フレームに設けられたサドルと、前記フレームに設けられたハンドルと、ペダルを備えた駆動ユニットとが設けられており、
−前記フレームが２つのフレーム部分（２，３）から成っており、器具腕部分として働く前側のフレーム部分（２）が、ハンドル（６）を支持しており、器具足部分として働く後側のフレーム部分（３）が、サドル（７）と駆動ユニット（８）とを支持しており、
−前記両フレーム部分（２，３）が、結合ジョイント（４）によって互いに結合されており、該結合ジョイント（４）のジョイント軸線がほぼ鉛直方向に延びており、
−前側のフレーム部分（２）の前端部および／または後側のフレーム部分（３）の後端部が、支承部（１５，１８，２０）によって側方にかつ／または前後に変位可能に支承されており、
−前記結合ジョイント（４）が、前側のフレーム部分（２）の支承部と、後側のフレーム部分（３）の支承部との間のほぼ真ん中に設けられている、
請求項５から９までのいずれか１項記載のトレーニング器具。
【請求項１１】
前側のフレーム部分（２）の支承部が、鉛直方向の軸線（１８）を中心にして回動可能である、請求項１０記載のトレーニング器具。
【請求項１２】
前側のフレーム部分（２）の支承部および／または後側のフレーム部分（３）の支承部が、側方にかつ／または長手方向に移動可能なキャリッジ（１５，２２）と直接的または間接的に協働する、請求項１０または１１記載のトレーニング器具。
【請求項１３】
前側のフレーム部分（２）の支承部および／または後側のフレーム部分（３）の支承部として、水平方向の軸（１３）が設けられており、該軸（１３）が、該軸を中心にして回転可能なホイール（１４）またはローラを備えている、請求項１０から１２までのいずれか１項記載のトレーニング器具。
【請求項１４】
後側のフレーム部分（３）のホイール（１４）またはローラが、駆動ユニット（８）に結合されていて、該駆動ユニット（８）によって回転駆動可能である、請求項１３記載のトレーニング器具。
【請求項１５】
器具足部分（２４）に、ほぼ水平方向に延びる走行装置（３４）が設けられており、器具腕部分（２８）に、ほぼ鉛直方向に延びるアームロッド（３３）が設けられており、ヒンジ状に作用するねじりジョイント（２９）のねじり軸線（V）がほぼ鉛直方向に延びており、器具足部分（２４）および／または器具腕部分（２８）が、当該トレーニング器具の、走行方向により規定された方向でスタンド（３２）に沿って移動可能である、請求項５から１０までのいずれか１項記載のトレーニング器具。
【請求項１６】
走行装置が踏みプレート（３４）またはペダルシステムを有している、請求項１５記載のトレーニング器具。
【請求項１７】
器具足部分（２４）にはずみ質量体が配置されている、請求項１５または１６記載のトレーニング器具。
【請求項１８】
器具足部分（２４）と器具腕部分（２８）とが、横方向分割されたトレーニングベンチ（４１）の各１つの区分を形成しており、両部分の間で分割範囲に、トレーニングベンチの長手方向延在方向に延びるねじり軸（４２）が結合ジョイントとして働き、各トレーニングベンチ区分に作用エレメントとしてクランク（４５）、レバーまたはその他の操作装置が配置されている、請求項５から１０までのいずれか１項記載のトレーニング器具。
【請求項１９】
調節位置に応じて１つの器具を用いてうつ伏せまたは仰向けの姿勢におけるトレーニングを可能にするために、トレーニングベンチの両端部が、相応する装置を介して支承されて１８０゜だけ回転させられるようになっている、請求項１８記載のトレーニング器具。
【請求項２０】
トレーニングベンチ（４１）がその長手方向延在方向に関して斜めに設置可能である、請求項１８または１９記載のトレーニング器具。
【請求項２１】
器具足部分（５２）と器具腕部分（５３）とが、横方向分割された鉛直方向の１つのコラムに配置されており、器具足部分（５２）と器具腕部分（５３）との間に結合ジョイント（５４）として、同じく鉛直方向に延びるねじり軸が配置されており、器具足部分（５２）に鉛直方向に操作可能で、ただし水平方向に突出した踏みプレートまたは旋回プレート（５０）が設けられている、請求項５から１０までのいずれか１項記載のトレーニング器具。
【手続補正書】
【提出日】平成18年4月7日(2006.4.7)
【手続補正１】
【補正対象書類名】特許請求の範囲
【補正対象項目名】全文
【補正方法】変更
【補正の内容】
【特許請求の範囲】
【請求項１】
対象者における癌のスクリーニング用及び／又は診断用、及び／又は癌の治療の有効性のモニタリング用の組成物であって
以下の(a)〜(c)のいずれかのRAIG1ポリペプチドと特異的に結合する捕捉試薬を含む、前記組成物：
(a) 配列番号1のアミノ酸配列を含むもの、又は前記アミノ酸配列から成るもの；
(b) 配列番号1のアミノ酸配列に対し、1つ又は2つ以上のアミノ酸の置換、改変、欠失又は挿入を有する誘導体であって、RAIG1の活性を保持するもの；又は、
(c) 配列番号1のアミノ酸配列を有するポリペプチドのフラグメントであって、長さが少なくとも10アミノ酸であり且つ前記フラグメントの全長にわたって少なくとも70％の相同性を有するもの。
【請求項２】
捕捉試薬が固相に固定されている、請求項１に記載の組成物。
【請求項３】
捕捉試薬が、抗体、その機能的に活性なフラグメント、誘導体又はアナログである、請求項１又は２に記載の組成物。
【請求項４】
抗体が、モノクローナル、ポリクローナル、キメラ、ヒト化若しくは二重特異性抗体であるか、又は治療成分、検出可能な標識、二次抗体若しくはそのフラグメント、細胞毒性物質又はサイトカインに結合されている、請求項３に記載の組成物。
【請求項５】
請求項１で定義された1つ又は2つ以上のRAIG1ポリペプチドと特異的に結合する抗体、その機能的に活性なフラグメント、誘導体又はアナログ。
【請求項６】
請求項１〜４のいずれか１項記載の組成物、捕捉試薬と請求項１で定義されたRAIG1ポリペプチドとの結合の検出試薬、及び使用説明書を含む、診断キット。
【請求項７】
モノクローナル、ポリクローナル、キメラ、ヒト化若しくは二重特異性抗体であるか、又は治療成分、検出可能な標識、二次抗体若しくはそのフラグメント、細胞毒性物質又はサイトカインに結合されている、請求項５に記載の抗体。
【請求項８】
対象者における癌のスクリーニング用及び／又は診断用、及び／又は癌の治療の有効性のモニタリング用の組成物であって、
以下の(d)〜(h）のいずれかのRAIG1核酸分子と相補的であり且つハイブリダイズすることができるハイブリダイズ核酸分子を含む、前記組成物：
(d) 配列番号2のDNA配列若しくはそのRNA等価物を含むもの、又は前記DNA配列又はRNA等価物から成るもの；
(e) 前記(d)の配列と相補的な配列を有するもの；
(f) 請求項１で定義されるRAIG1ポリペプチドをコードする配列を有するもの；
(g) 前記(d)、(e)及び(f)の核酸分子のいずれかと実質的な同一性を示す配列を有するもの；又は
(h) 前記(d)、(e)、(f)又は(g)のフラグメントであって、長さが少なくとも10ヌクレオチドであるもの。
【請求項９】
請求項８記載の組成物、請求項８で定義されるRAIG1核酸分子又は前記RAIG1核酸分子に相補的なハイブリダイズ核酸分子を検出する検出試薬、及び使用説明書を含む、診断キット。
【請求項１０】
癌の治療用医薬品の製造における、以下の(i)〜(iii)のいずれかの使用：
(i)請求項1で定義される、少なくとも1つのRAIG1ポリペプチド；
(ii)請求項８で定義される、RAIG1核酸分子；又は
(iii)配列番号1のアミノ酸配列に対し、1つ又は2つ以上のアミノ酸の置換、改変、欠失又は挿入を有するドミナントネガティブ変異体である、請求項１で定義されるポリペプチドの誘導体。
【請求項１１】
癌の治療用医薬品の製造における、請求項５又は７記載の抗体の使用。
【請求項１２】
医薬組成物がワクチンである、請求項１０記載の使用。
【請求項１３】
請求項１で定義されるRAIG1ポリペプチドと相互作用する抗癌剤をスクリーニングする方法であって、
(a)前記ポリペプチドを候補物質と接触させる工程；及び
(b)前記候補物質が前記ポリペプチドと相互作用するか否かを決定する工程；
を含む前記方法。
【請求項１４】
候補物質とRAIG1ポリペプチドとの間の相互作用の決定が、前記候補物質及び前記ポリペプチドの結合を定量的に検出することを含む、請求項１３に記載の方法。
【請求項１５】
(a)請求項１で定義されるRAIG1ポリペプチドの発現又は活性；又は
(b)請求項８で定義されるRAIG1核酸分子の発現；
を調節する抗癌剤をスクリーニングする方法であって、
(i)候補物質の存在下での前記ポリペプチドの発現若しくは活性又は前記核酸分子の発現を、候補物質の非存在下又はコントロール物質の存在下での前記ポリペプチドの発現若しくは活性又は前記核酸分子の発現と比較する工程；及び
(ii)前記候補物質が、前記ポリペプチドの発現若しくは活性又は前記核酸分子の発現を変化させるか否かを決定する工程；
を含む前記方法。
【請求項１６】
前記ポリペプチドの発現若しくは活性のレベル又は前記核酸分子の発現レベルが、予め決定された参照値域と比較される、請求項１５に記載の方法。
【請求項１７】
工程(ii)が、更なる試験又は抗癌剤としての治療的若しくは予防的使用のために、該ポリペプチドの発現若しくは活性又は該核酸分子の発現を調節する物質を選択することを更に含む、請求項１５又は１６に記載の方法。
【請求項１８】
該ポリペプチドと相互作用するか、又は該ポリペプチドの発現若しくは活性又は該核酸分子の発現を変化させる、請求項１３〜１５のいずれかに記載の方法によって同定される物質。
【請求項１９】
請求項１に定義されるRAIG1ポリペプチドと相互作用する物質、又はRAIG1ポリペプチドの発現若しくは活性又は請求項８で定義されるRAIG1核酸分子の発現を変化させる物質の、癌の治療用医薬品の製造における使用。
【請求項２０】
癌が乳癌、膵臓癌、肺癌、肝臓癌、卵巣癌、結腸癌及び／又は骨肉腫である、請求項１〜４及び８のいずれか１項に記載の組成物。
【請求項２１】
癌が乳癌、膵臓癌、肺癌、肝臓癌、卵巣癌、結腸癌及び／又は骨肉腫である、請求項１３〜１７のいずれか１項に記載の方法。
【請求項２２】
癌が乳癌、膵臓癌、肺癌、肝臓癌、卵巣癌、結腸癌及び／又は骨肉腫である、請求項１９記載の使用。